(57)【要約】      （修正有）【課題】テレビ放映による広告時間帯の視聴の煩わしさを緩和するために、テレビ画像及び広告画像の同時放映が可能なアドテレビを提供する。【解決手段】アドテレビの画像を収納する方形状よりなる外枠３を形成し、該外枠３には、外部にテレビ用電源スイッチ８を装着し、且つ該外枠３には、内部中央部分にテレビ画像モニター１を位置し、該テレビ画像モニター１には、外周全体に帯状の広告用画像モニター２を装設し、該テレビ画像モニター１と該広告用画像モニター２との裏面側には、テレビ専用画像音声放映器と、広告専用画像音声放映器を装設すると共に、マルチ放映器を収納する。【選択図】図１
2010122643.tif 000002
【特許請求の範囲】
【請求項１】
アドテレビの画像を収納する方形状よりなる外枠（３）を形成し、該外枠（３）には、外部にテレビ用電源スイッチ（８）を装着し、且つ該外枠（３）には、内部中央部分にテレビ画像モニター（１）を位置し、該テレビ画像モニター（１）には、外周全体に帯状の広告用画像モニター（２）を装設し、該テレビ画像モニター（１）と該広告用画像モニター（２）との裏面側には、テレビ専用画像音声放映器（４）と、広告専用画像音声放映器（５）を装設すると共に、マルチ放映器（６）を収納したことを特徴とするテレビ画像及び広告画像の同時放映のアドテレビ。
【請求項２】
請求項１における該広告用画像モニター（２）には、パーソナルコンピューターを内蔵させ、ネット配信の受信機器（７）を裏側に収納させ、ネット配信による画像及び音声を映し出した事を特徴とする請求項１のテレビ画像及び広告画像の同時放映のアドテレビ。
【発明の詳細な説明】
【技術分野】
【０００１】  本発明は、現在使用しているテレビ広告と違う新たな広告用放映をするもので、アドテレビの１枚の中央部分のテレビ画像モニターの外周に設けた帯状部分に、広告用画像モニターを設け、テレビ放映と同時に広告用放映が出来るようにした、テレビ画像及び広告画像の同時放映のアドテレビに関する。
【背景技術】
【０００２】  一般に、現在の民間によるテレビ放映は、テレビ放映と広告放映が同時に行われないで、テレビ放映を中断して広告の放映が別々に行われており、この広告の放映によって民放テレビ経営が成り立って、民放放送が行われているのが現状である。
一面、民放テレビには公共放送にない楽しさや面白さがあるが、しかし、やはりテレビ視聴者にとって、広告の時間帯は煩わしいものであると感じる等、不便がある。
【発明の開示】
【発明が解決しようとする課題】
【０００３】  本発明は、上記従来の問題点である、テレビ放映による広告時間帯の視聴の煩わしさ等の不便のみを感じる欠点の解決を図るもので、その目的とする所は、広告放映及び生活に密着した地域情報や行政公報等を放映することによって、視聴者にメリットを与え、その結果による煩わしさを緩和する効果をもたらすシステムを持った広告とする、テレビ画像及び広告画像の同時放映のアドテレビを提供するものである。
【課題を解決するための手段】
【０００４】  上記目的を達成するために、本発明のアドテレビは、アドテレビを収納する外枠を設け、その外部にテレビ用電源スイッチを装設する。該外枠の内部の中央部分にテレビ画像モニターを設けると共にその外周全体の一部に帯状の広告用画像モニターを装設する。該テレビ画像モニターと該広告用画像モニターには、裏面にテレビ専用画像音声放映器と広告専用画像音声放映器を装設すると共に、マルチ放映器を収納している。また、広告用画像モニターには、パーソナルコンピューターによるネット配信の受信機器を装設することを特徴としている。
【発明の効果】
【０００５】  上記のように構成されているアドテレビによれば、テレビ放映を途中で中断して、テレビ画像モニターに広告用画像モニターを放映する必要がない効果と、外枠の内部の中央部分に設けたテレビ画像モニターと、その外周全体に設けた帯状の広告用画像モニターを設けてあるので、テレビ画像モニターを中断することなく、外周の帯状部分に、例えば生活に密着した情報等の広告用画像モニターの広告放映が自由に出来る便利な効果がある。
そして、該広告用画像モニターの裏面に、テレビ専用画像音声放映器と広告専用画像音声放映器及びマルチ放映器を各々収納してあるので、テレビ放映を一時中断して広告のみを放映できると共に、テレビ放映の視聴に支障の無いように、画像及び音声を自由に調節した広告をモニター部分に放映できる便利な効果がある。又、マルチ放映器によっては、同時に別々の画像を１枚のテレビモニターに音声と共に放映できる便利な効果もある。
又、広告用画像モニターには、パーソナルコンピューターを内蔵し、背面側にネット配信の受信機を装設したことにより、画像と音声を広告用画像モニターに広告を映し出して、広告が出来る便利さもある。
【発明を実施するための最良の形態】
【０００６】  本発明の最良の用法を説明すると、アドテレビの電源スイッチをオンにすると、同時にテレビ画像モニターと外周部分の広告用画像モニターにも広告が映し出される機能を持った広告専用のモニター部分を設置し、該テレビに内蔵され、該広告用画像モニターの裏側に内蔵された広告専用のネット配信の受信機器を使用して、テレビ放映時に１枚のモニターの内において、テレビ中央部テレビ画像モニターのテレビ放映を一時中断して広告宣伝の外に、該テレビ画像モニターの外周部分に広告放映及び生活に密着した地域情報や行政公報等を放映するものである。その広告の放映に際しては、テレビ放映の視聴に支障の無いように、画像及び音声を調節した広告を広告用帯状モニター部分に放映して、独自の広告をするものである。その広告方法は、テレビ放映によるものとパーソナルコンピューターを利用したネット配信の受信機による放映との２種類の方法が可能なものである。
【実施例】
【０００７】  本発明の実施例を図面について説明すると、図１には、アドテレビには、テレビ専用放映可能なテレビ画像モニター（１）を保護する、略方形状の外枠（３）を構成する。
該外枠（３）には、内部の中央部分に外テレビ画像モニター（１）を位置する。該テレビ画像モニター（１）には、外周全体に帯状に形成された広告画像用モニター（２）を配置してある。
次に、該テレビ画像モニター（１）と、該広告用モニター（２）との裏面には、テレビ専用画像音声放映器（４）と、広告専用画像放映器（５）を装設してある。また、裏面側には、パーソナルコンピューターによるネット配信の受信機器（７）を内蔵させてある。
更に、図２に示すものは、該外枠（３）の内部の裏面側を示すもので、該テレビ画像モニター（１）と、該広告用画像モニター（２）との裏面に設けた、同時に１枚のモニターに放映される害テレビ専用音声画像放映器（４）と、該広告専用画像音声放映器（５）との縦断側面を示すもので、また、内部には、テレビ、広告を同時に放映するマルチ放映機器（６）を収納したものである。
【図面の簡単な説明】
【０００８】
【図１】本発明のアドテレビの全体の正面図である。
【図２】同じく本発明の図１の縦断側面図である。
【符号の説明】
【０００９】１    テレビ画像モニター
２    広告用画像モニター
３    外枠
４    テレビ専用画像音声放映器
５    広告専用画像音声放映器
６    マルチ放映機器
７    ネット配信の受信機器
８    テレビ用電源スィッチ
【図１】
2010122643.tif 000003
【図２】
2010122643.tif 000004